(57)【要約】【課題】簡単な構成で花立て内に適量の補給水を供給できるようにする。【解決手段】墓地等に設置される花立て２内に補給水を供給する花立て用給水装置であって、補給水を収容するとともに給水口が設けられた給水タンク１と、花立て２に取り付けられる支持ブラケット３とを有し、この支持ブラケット３に、給水タンク１の左右両側面部を挟持する左右一対の挟持板１９とを備えるとともに前面が開口したタンク保持部１２と、上記給水口を下方に向けた状態で給水タンク１を上記タンク保持部１２に保持させた場合に、花立て２の上端開口部内に給水口が配設されるように給水タンク１を位置決めする位置決め部材１３とを設けた。【選択図】  図２
2004329410.tif 000002
【特許請求の範囲】
【請求項１】
墓地等に設置される花立て内に補給水を供給する花立て用給水装置であって、補給水を収容するとともに給水口が設けられた給水タンクと、花立てに取り付けられる支持ブラケットとを有し、この支持ブラケットに、給水タンクの左右両側面部を挟持する左右一対の挟持板を備えるとともに前面が開口したタンク保持部と、上記給水口を下方に向けた状態で給水タンクを上記タンク保持部に保持させた場合に、花立ての上端開口部内に給水口が配設されるように給水タンクを位置決めする位置決め部材とを設けたことを特徴とする花立て用給水装置。
【請求項２】
支持ブラケットの上下方向に伸びる長孔を設け、この長孔に沿って位置決め部材をスライド自在に支持させるとともに、この位置決め部材を支持ブラケットに係止する係止部材を設けたことを特徴とする請求項１記載の花立て用給水装置。
【請求項３】
墓地等に設置される花立て内に補給水を供給する花立て用給水装置であって、補給水を収容する給水タンクと、花立てに取り付けられる支持ブラケットとを有し、指で押さえることにより閉塞可能な内径を有する給水口が先端に形成された導水部を上記給水タンクに設けるとともに、導水部の周面に小径の空気孔を形成し、上記給水タンクの給水口を花立ての上端開口部内に位置させた状態で支持ブラケットに支持させたことを特徴とする花立て用給水装置。
【請求項４】
周面に雄ねじ部が設けられた筒状突部と、この筒状突部の雄ねじ部に螺着される雌ねじ部を有する給水キャップとを給水タンクに設けるとともに、上記給水キャップに先窄まり形状の導水部を突設したことを特徴とする請求項３に記載の花立て用給水装置。
【発明の詳細な説明】
【０００１】
【発明の属する技術分野】
本発明は、墓石とともに墓地等に設置される花立て内に補給水を供給するための花立て用給水装置に関するものである。
【０００２】
【従来の技術】
従来、花立てに供えられた草木が水切れにより早期に枯れるという事態の発生を防止するため、例えば特許文献１に示されるように、花立ての横にタンクを設け、そのタンクのキャップの締め具合によって補水管により花立て内にしずくをたらして水を補給するようにした自動給水装置が知られている。すなわち、補給水を収容する給水タンクの上部に、空気導入用の小穴が形成された空気導入部と、この空気導入部に螺着されるキャップとを設け、上記空気導入部に対するキャップの締付具合を調節することにより、タンク本体に設けられた補水管から花立て内に滴下する補給水の流量を調節することが行われている。
【０００３】
【特許文献１】
実開昭５８−７８５１号公報
【０００４】
【発明が解決しようとする課題】
上記のように給水タンクの上部に設けられた空気導入部に螺着されるキャップの締付具合を調節することにより、給水タンク内に導入される空気量を調節するとともに、この空気量に対応した量の補給水を給水タンクから花立て内に補給するように構成された自動給水装置では、上記キャップの締付具合を適切に調節すれば、花立て内の保水量を一定に維持することが可能である。しかし、上記キャップの締付状態が少しでも緩くなると、短期間に大量の補給水が花立て内に供給され、この花立てから補給水が溢れ出てしまうことになる。一方、上記キャップを強く締め過ぎると、花立て内に対する補給水の供給が行われなくなり、給水タンクを設けたにも拘わらず、花立て内の保水量を一定に維持することができないという問題があった。
【０００５】
本発明は、上記の点に鑑みてなされたものであり、簡単な構成で花立て内に適量の補給水を供給することができる花立て用給水装置を提供することを目的としている。
【０００６】
【課題を解決するための手段】
請求項１に係る発明は、墓地等に設置される花立て内に補給水を供給する花立て用給水装置であって、補給水を収容するとともに給水口が設けられた給水タンクと、花立てに取り付けられる支持ブラケットとを有し、この支持ブラケットに、給水タンクの左右両側面部を挟持する左右一対の挟持板とを備えるとともに前面が開口したタンク保持部と、上記給水口を下方に向けた状態で給水タンクを上記タンク保持部に保持させた場合に、花立ての上端開口部内に給水口が配設されるように給水タンクを位置決めする位置決め部材とを設けたものである。
【０００７】
上記構成によれば、給水タンク内に補給水を充填した後、給水口を指で閉塞した状態で、この給水口を下向きにして給水タンクを支持ブラケットのタンク保持部に挿通させて保持させるとともに、花立ての上端開口部内に給水口を配設した状態で給水タンクを位置決めすることにより、花立て内の保水量が少なくなるのに応じ、給水タンクから花立て内に補給水が供給されることになる。
【０００８】
請求項２に係る発明は、上記請求項１記載の花立て用給水装置において、支持ブラケットの上下方向に伸びる長孔を設け、この長孔に沿って位置決め部材をスライド自在に支持させるとともに、この位置決め部材を支持ブラケットに係止する係止部材を設けたものである。
【０００９】
上記構成によれば、花立てに対する支持ブラケットの設置高さに応じ、上記位置決め部材を支持ブラケットの長孔に沿ってスライド変位させることにより、この支持ブラケットに対する位置決め部材の設置高さを調節した後、係止部材により位置決め部材を支持ブラケットに係止することにより、花立ての上端開口部内に給水口が配設されるように給水タンクの支持高さを適正に調節することが可能となる。
【００１０】
請求項３に係る発明は、墓地等に設置される花立て内に補給水を供給する花立て用給水装置であって、補給水を収容する給水タンクと、花立てに取り付けられる支持ブラケットとを有し、指で押さえることにより閉塞可能な内径を有する給水口が先端に形成された導水部を上記給水タンクに設けるとともに、導水部の周面に小径の空気孔を形成し、上記給水タンクの給水口を花立ての上端開口部内に位置させた状態で支持ブラケットに支持させたものである。
【００１１】
上記構成によれば、給水口から給水タンク内に補給水を充填した後、給水口を指で押さえて閉塞した状態で、支持ブラケットに給水タンクを支持させて給水口を花立ての上端開口部内に位置させることにより、花立て内の保水量が少なくなるのに応じ、給水タンクに設けられた空気孔から導水部に空気が導入されるとともに、この空気の導入量に対応した量の補給水が給水タンクから花立て内に供給されることになる。
【００１２】
請求項４に係る発明は、上記請求項３に記載の花立て用給水装置において、周面に雄ねじ部が設けられた筒状突部と、この筒状突部の雄ねじ部に螺着される雌ねじ部を有する給水キャップとを給水タンクに設けるとともに、上記給水キャップに先窄まり形状の導水部を突設したものである。
【００１３】
上記構成によれば、給水キャップに設けられた導水部の先端部に位置する給水口の内径を小さくするとともに、給水タンクに設けられた筒状突部の内径を大きくすることが可能となるため、上記給水キャップを筒状突部から取り外した状態で、この筒状突部から給水タンク内に補給水が容易に充填されるとともに、上記給水口を指で押さえることによってこの給水口が確実に閉塞されることになる。
【００１４】
【発明の実施の形態】
図１および図２は、本発明に係る花立て用給水装置の実施形態を示している。この花立て用給水装置は、補給水を収容する給水タンク１と、花立て２に取り付けられる支持ブラケット３とを備えている。上記給水タンク１は、例えばポリエチレン等の合成樹脂材により略正方形の断面形状を有するボトル状に形成されたタンク本体４と、このタンク本体４に突設されるとともに、周面に雄ねじ部が形成された筒状突部５と、この筒状突部５に螺着される給水キャップ６とにより構成されている。
【００１５】
給水キャップ６には、上記筒状本体５の雄ねじ部と螺合する雌ねじ部が設けられとともに、先窄まり形状の円錐台径状を有する筒状体からなる導水部７が突設されている。この導水部７の先端には、例えば１０ｍｍ以下、好ましくは７ｍｍ程度の内径を有し、指で押さえることにより閉塞可能な給水口８が形成されている。また、上記導水部７の周面には、口径が例えば２ｍｍ程度に設定された小径の空気孔９が複数個所に設けられている。これらの空気孔９は、導出部７の先端部から１０ｍｍ程度だけ離れた位置において、導出部７の周方向に沿って一定間隔で配列されている。
【００１６】
また、上記支持ブラケット３には、花立て２に取り付けられる取付板１０と、この取付板１０に突設された基板１１と、この基板１１の上端部に設けられたタンク保持部１２と、上記給水口８を下方に向けた状態で給水タンク１を上記タンク保持部１２に保持させた場合に、花立て２の上端開口部内に給水口８が配設されるように給水タンク１の支持高さを設定する位置決め部材１３とが設けられている。
【００１７】
上記取付板１０には、所定径の取付孔１４が形成され、この取付孔１４に花立て２の本体部１５が挿入されることにより、上記支持ブラケット３が花立て２に取り付けられるようになっている。すなわち、上記花立て２は、有底円筒状の本体部１５と、その上端部に設けられた上先拡がり形状のテーパ部１６と、その下方に設けられたフランジ部１７とを有している。そして、上記花立て２の本体部１５を取付板１０の取付孔１４に挿通させて花立て２と支持ブラケット３とを一体に連結した状態で、墓石に設けられた花立て設置部Ａ内に、花立て２の本体部１５を嵌入することにより、上記花立て設置部Ａの上端面と花立て２のフランジ部１７との間に取付板１０が挟持されるように構成されている。
【００１８】
支持ブラケット３の基板１１は、取付板１０の一端部から所定角度で傾斜した状態で上方に突設された長方形の板材からなっている。上記基板１０の上端部に設けられたタンク保持部１２は、内方に突出する折返し部１８が先端部に設けられた左右一対の挟持板１９と、両挟持板１９の基端部同士を連結する連結板２０とを有し、この連結板２０が上記基板１１の上端部にスポット溶接される等の手段で固着されている。また、上記タンク保持部２０は、両挟持板１９の設置間隔が給水タンク１の幅寸法に対応した値に設定されることにより、給水タンク１のタンク本体４を左右両側から挟持するように構成されるとともに、両折返し部１８の間に所定間隔の開口部２１が設けられることにより、前面が開口した構造となっている。
【００１９】
上記支持ブラケット３の基板１１には、タンク保持部１２の下方において上下方向に伸びる長孔２２が形成され、ボルトからなる位置決め部材１３の軸部１３ａが、上記基板１１の表面側から長孔２２に挿通されるとともに、この軸部１３ａに蝶ナットからなる係止部材２４が螺着されることにより、上記支持ブラケット３に給水タンク１を保持させる際に、上記位置決め部材１３によって給水タンク１が位置決めされるように構成されている。すなわち、図２に示すように、給水タンク１の導水部７を下方に向けた状態で、給水タンク１を上記タンク保持部１２に保持させる際に、タンク本体４の肩部が位置決め部材１３の頭部１３ｂに当接してタンク本体４の下降が規制されるようになっている。また、上記蝶ナットからなる係止部材２４を緩めた状態で、長孔２２に沿って位置決め部材１３の軸部１３ａを摺動変位させることにより給水タンク１の支持高さが調節され、これによって上記給水口８が形成された導水部７の先端を花立て２の上端開口部内に臨ませた状態で配設し得るようになっている。
【００２０】
上記のように構成された花立て用給水装置を使用するには、給水タンク１の筒状突部５から給水キャップ６を取り外した状態で、上記筒状突部５に設けられた開口部からタンク本体４内に水道水等の補給水を充填する。また、花立て２の本体部１５を取付板１０の取付孔１４に挿通させて花立て２と支持ブラケット３とを一体に連結した状態で、墓石に設けられた花立て設置部Ａ内に、花立て２の本体部１５を嵌入することにより、花立て２および支持ブラケット３を花立て設置部Ａに設置するとともに、上記花立て２内に水道水等を充填する。
【００２１】
上記給水タンク１の給水口８を指で押さえて閉塞した状態で、給水口８を下向きにして、図３に示すように、給水タンク１の導水部７を上記支持ブラケット３にタンク保持部１３に挿通させる。そして、図２に示すように、タンク本体４の肩部を位置決め部材１３の頭部１３ｂに当接させることにより、給水タンク１の下降を規制した状態で支持ブラケット３に保持させる。このようにして給水タンク１の給水口８が花立て２の上端開口部に配設された状態で、給水タンク１が支持ブラケット３に支持されることにより、必要に応じて給水タンク１内の補給水が花立て２内に補給されることになる。
【００２２】
すなわち、図４の実線で示すように、花立て２内の水位が給水タンク１の空気孔９よりも低い位置にある場合には、この空気孔９からタンク本体４内に空気が流入するとともに、タンク本体４内の補給水が給水口８から花立て２内に流入する。この補給水が花立て２内に流入するのに応じ、その水位が仮想線で示す位置に上昇して上記空気孔９が閉塞されると、上記空気孔９からタンク本体４内への空気の流入およびタンク本体４から花立て２内への補給水の流入が停止されるため、給水タンク１内が空になるまで上記花立て２内の水位が一定に維持されることになる。
【００２３】
上記のように補給水を収容するとともに給水口８が設けられた給水タンク１と、花立て２に取り付けられる支持ブラケット３とを備えた花立て用給水装置において、上記支持ブラケット３に、給水タンク１の左右両側面部を挟持する左右一対の挟持板１９とを備えるとともに前面が開口したタンク保持部１２と、上記給水口８を下方に向けた状態で給水タンク１を上記タンク保持部１２に保持させた場合に、花立て２の上端開口部内に給水口８が配設されるように給水タンク１を位置決めする位置決め部材１３とを設けたため、給水タンク１内に補給水を充填した後、給水口８を指で閉塞した状態で、この給水口８を下向きにして給水タンク１を支持ブラケット３のタンク保持部１２に挿通させて保持させる際に、上記給水口８を閉塞する人差し指等を上記開口部２１に沿って変位させることにより、給水タンク１を支持ブラケット３に保持させることができる。したがって、上記給水タンク１の設置時に給水口８から指が離れることに起因して補給水が流出するという事態の発生を防止できるという利点がある。
【００２４】
そして、上記位置決め部材１３により給水タンク１を位置決めして花立て２の上端開口部内に給水口８を配設するように構成したため、花立て２内の保水量が少なくなるのに応じ、給水タンク１から花立て２内に補給水を供給することができる。このため、簡単な構成で上記給水タンク１内が空になるまでの間、花立て２内の水位を一定に維持することにより、上記花立て２に供えられた花が水切れにより早期に枯れるという事態の発生を効果的に防止することができる。
【００２５】
また、上記実施形態では、支持ブラケット３の上下方向に伸びる長孔２２を設け、この長孔２２に沿ってボルトからなる位置決め部材１３をスライド自在に支持させるとともに、この位置決め部材１３を支持ブラケット３の基板１１に係止する蝶ナットからなる係止部材２４を設けたため、花立て２の種類の如何に拘わらず、その上端開口部内に給水口８を配設することにより、花立て２内の保水量が少なくなるのに応じて給水タンク１から花立て２内に適正量の補給水を供給し得るように給水タンク１の設置高さを調節することができる。
【００２６】
具体的には、花立て２の種類に応じて花立て設置部Ａの上端面から花立て２の上端部までの距離Ｈ（図２参照）が変化した場合に、これに対応させて上記位置決め部材１３を支持ブラケット３の長孔２２に沿ってスライド変位させることにより、この支持ブラケット３に対する位置決め部材１３の設置高さを調節した後に、係止部材２４を締め付けて位置決め部材１３を支持ブラケット３に係止することができる。このため、常に上記給水口８が花立て２の上端開口部内に配設されるように給水タンク１の支持高さを適正に調節することができるとともに、この調節作業を容易に行うことができるという利点がある。
【００２７】
また、上記のように墓地等に設置される花立て２内に補給水を供給する花立て用給水装置において、補給水を収容する給水タンク１と、花立て２に取り付けられる支持ブラケット３とを有し、指で押さえることにより閉塞可能な内径を有する給水口８が先端に形成された導水部７を上記給水タンク１に設けるとともに、導水部７の周面に小径の空気孔９を形成し、上記給水タンク１の給水口８を花立て２の上端開口部内に位置させた状態で支持ブラケット３に支持させるように構成したため、上記給水タンク１を支持ブラケット３に支持させる際に、給水口８から水が漏れるのを防止しつつ、使用時に給水タンク１から花立て２内に補給水を供給することができる。
【００２８】
すなわち、上記給水口８を指で閉塞することにより、この給水口８から水が漏れるのを防止するためには、給水口８の指幅よりも小さくする必要があるが、この給水口８が一定値以下になると、この給水口８を下方に向けた状態で設置した場合に、導水部７に作用する表面張力に応じて給水口８が補給水で覆われた状態で保持され、給水タンク１内に空気が導入されないために、給水タンク１から花立て２内に補給水を供給することができない。一方、上記給水口８の口径を一定値以上にすると、給水口８を下方に向けた状態で設置した場合においても、上記給水口８から気泡となった空気を進入させることできるため、給水タンク１から花立て２内に補給水を供給することが可能であるが、上記給水タンク１を支持ブラケット３に支持させる際に、給水口８を指で閉塞することが困難であり、給水口８から水が溢れ出るのを避けることができない。
【００２９】
これに対して上記導水部７の周面に小径の空気孔９を形成した場合には、図４の実線で示すように、花立て２内の保水量が少なくなって上記空気孔９が水面の上方に位置した状態となると、この空気孔９から導水部７に空気が導入されるため、この空気の導入量に対応した水量の補給水を給水タンク１から花立て２内に供給することができる。したがって、上記のように給水タンク１を支持ブラケット３に支持させる際に、給水口８から水が漏れるのを防止するために、給水口８の口径を指で押さえることにより閉塞可能な値に設定するととともに、給水口８が下方に位置するように給水タンク１を設置した場合においても、使用時に給水タンク１から花立て２内に必要量の補給水を供給できるという利点がある。
【００３０】
また、上記実施形態では、周面に雄ねじ部が設けられた筒状突部５と、この筒状突部５の雄ねじ部に螺着される雌ねじ部を有する給水キャップ６とを給水タンク１に設けるとともに、上記給水キャップ６に先窄まり形状の導水部７を突設したため、給水キャップ６に設けられた導水部７の先端に位置する給水口８の内径を７ｍｍ程度の小径に形成するとともに、給水タンク１に設けられた筒状突部５の内径を１８ｍｍ程度の大径に設定することができるため、上記給水キャップ６を筒状突部５から取り外した状態で、この筒状突部５を介して水道蛇口等から給水タンク１内に補給水を容易に充填することができるとともに、上記給水口７を指で押さえることによって確実に閉塞できるという利点がある。
【００３１】
なお、上記実施形態では、花立て２の本体部１５を、取付板１０の取付孔１４に挿通させることにより花立て２と支持ブラケット３とを一体に連結した状態で、墓石に設けられた花立て設置部Ａ内に、花立て２の本体部１５を嵌入することにより、花立て２および支持ブラケット３を花立て設置部Ａに設置するよう構成した例について説明したが、図５に示すように、左右一対の挟持板１９からなるボルト保持部１２と、突片からなる位置決め部材２５とが設けられた支持ブラケット２６の下端部に、花立て２ａの上端部に位置する折返し補強部２７等に嵌着される嵌着部２８と、上記折返し補強部２７の外周面に先端部が圧接される押しボルト２９とを設け、上記嵌着部２８を花立て２ａの折返し補強部２７に嵌着した状態で押しボルト２９を締め付けることにより、花立て２ａに支持ブラケット２６を着脱可能に取り付けるように構成してもよい。
【００３２】
【発明の効果】
以上説明したように、本発明は、補給水を収容するとともに給水口が設けられた給水タンクと、花立てに取り付けられる支持ブラケットとを有し、この支持ブラケットに、給水タンクの左右両側面部を挟持する左右一対の挟持板とを備えるとともに前面が開口したタンク保持部と、上記給水口を下方に向けた状態で給水タンクを上記タンク保持部に保持させた場合に、花立ての上端開口部内に給水口が配設されるように給水タンクを位置決めする位置決め部材とを設けたため、給水タンク内に補給水を充填した後、給水口を指で閉塞した状態で、この給水口を下向きにして給水タンクを支持ブラケットのタンク保持部に挿通させて保持させる際に、上記給水口から指を離すことなく給水タンクを支持ブラケットに保持させる作業を行うことができるとともに、花立て内の保水量が少なくなるのに応じ、給水タンクから花立て内に補給水を供給することにより、花立てに供えられた花が水切れにより早期に枯れるという事態の発生を効果的に防止できるという利点がある。
【００３３】
また、本発明は、墓地等に設置される花立て内に補給水を供給する花立て用給水装置であって、補給水を収容する給水タンクと、花立てに取り付けられる支持ブラケットとを有し、指で押さえることにより閉塞可能な内径を有する給水口が先端に形成された導水部を上記給水タンクに設けるとともに、導水部の周面に小径の空気孔を形成し、上記給水タンクの給水口を花立ての上端開口部内に位置させた状態で支持ブラケットに支持させたため、この支持ブラケットに給水タンクを支持させる際に上記給水口から水が漏れるのを防止し得るようにその口径を小径に設定し、かつ上記給水口を下方に位置させるように給水タンクを設置した場合においても、上記花立て内の保水量が少なくなるのに応じ、給水タンクの補給水を花立て内に補給水を供給することができるという利点がある。
【図面の簡単な説明】
【図１】本発明に係る花立て用給水装置の実施形態を示す分解斜視図である。
【図２】上記花立て用給水装置の設置状態を示す説明図である。
【図３】給水タンクを支持ブラケットに保持させる過程を示す説明図である。
【図４】上記花立て用給水装置の使用状態を示す説明図である。
【図５】本発明に係る花立て用給水装置の別の実施形態を示す説明図である。
【符号の説明】
１  給水タンク
２  花立て
３，２６  支持ブラケット
５  筒状突部
６  給水キャップ
７  導水部
８  給水口
９  空気孔
１２  タンク保持部
１３，２５  位置決め部材
２２  長孔
２４  係止部材
【図１】
2004329410.tif 000003
【図２】
2004329410.tif 000004
【図３】
2004329410.tif 000005
【図４】
2004329410.tif 000006
【図５】
2004329410.tif 000007